(57)【要約】【課題】複数のスライドを投影しながら個々のスライドの内容を把握しやすい投影表示を行うことができるプロジェクタ、画像データ供給装置及びプロジェクタのスライド投影方法を提供すること。【解決手段】プロジェクタ１００は、スライドトレイユニット１０よりスライドを抜き差しするスライド脱着機構５２と、抜き出されたスライドを読み取るスキャナ部５３と、読み取ったスライドの画像データを格納する画像メモリ５４と、格納された画像データより出力画像データを生成する画像処理部５５と、出力画像データに従ってライトバルブ５７を駆動させるライトバルブ駆動部５６と、コントローラ５８とを備えている。コントローラ５８は、スライド脱着機構５２及びスキャナ部５３を制御して複数のスライドを順次読み取らせ、画像処理部５５に、複数のスライド画像を配置した出力画像データを生成させることにより、複数のスライド画像を含んだ画像を投影表示する。【選択図】図２
2007310272.tif 000002
【特許請求の範囲】
【請求項１】
所定の表示領域を有する空間光変調素子を駆動して、前記空間光変調素子に表示される
画像を投影するプロジェクタであって、
複数のスライドを順次読み取り、前記読み取ったスライドごとにスライド画像に変換す
る読取部と、
前記スライド画像ごとに、当該スライド画像を表す画像データを記憶する記憶部と、
前記記憶部に記憶された前記複数の画像データに基づき、前記空間光変調素子の表示領
域に対応する画像領域に前記複数のスライド画像を配置することにより、前記複数のスラ
イド画像を含んだ画像を表す出力画像データを生成する画像処理部と、
前記出力画像データに基づき前記空間光変調素子を駆動する駆動部とを備えることを特
徴とするプロジェクタ。
【請求項２】
請求項１に記載のプロジェクタにおいて、
前記スライド画像は、前記空間光変調素子の表示領域より小さい画像領域を有し、
前記画像処理部は、前記記憶部に記憶される前記複数の画像データの各々が表すスライ
ド画像を、前記空間光変調素子の表示領域に対応する画像領域上の互いに異なる位置に順
次上書きするようにして、前記出力画像データを生成することを特徴とするプロジェクタ
。
【請求項３】
請求項１又は２に記載のプロジェクタにおいて、
前記複数のスライドを収納するスライド収容体が着脱自在に装着される装着部、及び前
記装着部に装着されたスライド収容体から前記読取部が読取可能な位置までスライドを抜
き差しするスライド脱着部をさらに備え、
前記読取部は、スライド脱着部により抜き出されたスライドを読み取ることを特徴とす
るプロジェクタ。
【請求項４】
請求項１乃至３のいずれか一項に記載のプロジェクタにおいて、
前記投影された画像に含まれる複数のスライド画像のうちから、いずれかのスライド画
像を選択する選択操作を受け付ける操作部をさらに備え、
前記画像処理部は、前記選択操作に応じて選択されたスライド画像を拡大し、当該拡大
した画像を出力画像データとして生成することを特徴とするプロジェクタ。
【請求項５】
所定の表示領域を有する空間光変調素子を駆動して、前記空間光変調素子に表示される
画像を投影するプロジェクタに、投影対象とする画像を表す出力画像データを供給する画
像データ供給装置であって、
複数のスライドを順次読み取り、前記読み取ったスライドごとにスライド画像に変換す
る読取部と、
前記スライド画像ごとに、当該スライド画像を表す画像データを記憶する記憶部と、
前記記憶部に記憶された前記複数の画像データに基づき、前記空間光変調素子の表示領
域に対応する画像領域に前記複数のスライド画像を配置することにより、前記複数のスラ
イド画像を含んだ画像を表す出力画像データを生成する画像処理部とを備えることを特徴
とする画像データ供給装置。
【請求項６】
所定の表示領域を有する空間光変調素子を駆動して、前記空間光変調素子に表示される
画像を投影するプロジェクタのスライド投影方法であって、
複数のスライドを順次読み取り、前記読み取ったスライドごとにスライド画像に変換す
る読取工程と、
前記スライド画像ごとに当該スライド画像を表す画像データを記憶する記憶部に記憶さ
れた前記複数の画像データに基づき、前記空間光変調素子の表示領域に対応する画像領域
に前記複数のスライド画像を配置することにより、前記複数のスライド画像を含んだ画像
を表す出力画像データを生成する画像処理工程と、
前記出力画像データに基づき前記空間光変調素子を駆動させ、前記表示画像の投影表示
を行う表示工程とを備えることを特徴とするプロジェクタのスライド投影方法。
【発明の詳細な説明】
【技術分野】
【０００１】
フィルムや透明原稿などのスライドを投影するプロジェクタ、画像データ供給装置及び
プロジェクタのスライド投影方法に関する。
【背景技術】
【０００２】
従来より、フィルムや透明原稿などのスライドを読み取るスライドスキャナ機能を有し
、読み取ったスライドを投影可能なプロジェクタが知られている。
【０００３】
例えば、特許文献１には、フラットヘッドスキャナなどの読み取り装置を備え、読み取
ったスライドを画像データに変換して画像メモリに格納しておき、画像データに基づきＤ
ＭＤ(Digital Micromirror Device)素子を駆動させることで、スライドを投影表示可能と
したプロジェクタが開示されている。
【０００４】
また、特許文献１に記載のプロジェクタは、画像メモリは複数枚のスライドの画像デー
タを格納可能としており、画像メモリ内の複数の画像データを用いて、投影しようとする
スライド画像の右下部に前回投影したスライド画像の一部を分割表示させることにより、
２枚のスライドを同時に表示させている。
【０００５】
【特許文献１】特開平８−２９８７１号公報（第９頁、図３参照）
【発明の開示】
【発明が解決しようとする課題】
【０００６】
しかしながら、特許文献１に記載のプロジェクタは、投影しようとするスライドの右下
部には前回投影したスライドが分割表示されるため、スライド全体の情報を視聴者に伝え
ることができなくなり、スライドの内容を把握し難くなってしまう可能性がある。
【０００７】
そこで、本発明は、複数のスライドを投影しながら個々のスライドの内容を把握しやす
い投影表示を行うことができるプロジェクタ、画像データ供給装置及びプロジェクタのス
ライド投影方法を提供することを目的とする。
【課題を解決するための手段】
【０００８】
上記目的を達成する本発明のプロジェクタは、所定の表示領域を有する空間光変調素子
を駆動して、空間光変調素子に表示される画像を投影するプロジェクタであって、複数の
スライドを順次読み取り、読み取ったスライドごとにスライド画像に変換する読取部と、
スライド画像ごとに、当該スライド画像を表す画像データを記憶する記憶部と、記憶部に
記憶された複数の画像データに基づき、空間光変調素子の表示領域に対応する画像領域に
複数のスライド画像を配置することにより、複数のスライド画像を含んだ画像を表す出力
画像データを生成する画像処理部と、出力画像データに基づき空間光変調素子を駆動する
駆動部とを備えることを特徴とする。
【０００９】
この構成によれば、複数のスライドを読み取り、読み取った複数のスライドごとの複数
のスライド画像を空間光変調素子の表示領域に対応する画像領域に配置した出力画像デー
タに基づいて空間光変調素子を駆動することにより、複数のスライドを含む画像が投影さ
れる。複数のスライドが同時に投影されるので、スライドの内容を把握し易い投影表示が
可能となる。
【００１０】
また、本発明のプロジェクタにおいて、スライド画像は、空間光変調素子の表示領域よ
り小さい画像領域を有し、画像処理部は、記憶部に記憶される複数の画像データの各々が
表すスライド画像を、空間光変調素子の表示領域に対応する画像領域上の互いに異なる位
置に順次上書きするようにして、出力画像データを生成することが好ましい。
【００１１】
この構成によれば、空間光変調素子の表示領域より小さい画像領域を有する画像を、各
々のスライド画像を互いに異なる位置に順次上書きするようにして配置するので、複数の
スライドを表しながら、少なくとも最後に上書きしたスライドについては全体を表した出
力画像データが生成される。したがって、複数のスライドを含む画像を投影しながら少な
くとも１つのスライドは全体が表示されるので、スライドの内容を把握し易い投影表示が
可能となる。
【００１２】
また、本発明のプロジェクタは、複数のスライドを収納するスライド収容体が着脱自在
に装着される装着部、及び装着部に装着されたスライド収容体から読取部が読取可能な位
置までスライドを抜き差しするスライド脱着部をさらに備え、読取部は、スライド脱着部
により抜き出されたスライドを読み取ることが好ましい。
【００１３】
この構成によれば、複数のスライドを収納するスライド収容体からスライド読取可能な
位置までスライドを抜き出し、この抜き出されたスライドを読み取るようにして、スライ
ド収容体に収納された複数のスライドを投影表示することができる。
【００１４】
また、本発明のプロジェクタは、投影された画像に含まれる複数のスライド画像のうち
から、いずれかのスライド画像を選択する選択操作を受け付ける操作部をさらに備え、画
像処理部は、選択操作に応じて選択されたスライド画像を拡大し、当該拡大した画像を出
力画像データとして生成することが好ましい。
【００１５】
この構成によれば、投影された複数のスライド画像のうち操作部への操作により選択さ
れたスライド画像を拡大表示するので、スライドの内容をより把握し易い投影表示が可能
になる。
【００１６】
本発明のもう１つの態様は、所定の表示領域を有する空間光変調素子を駆動して、空間
光変調素子に表示される画像を投影するプロジェクタに、投影対象とする画像を表す出力
画像データを供給する画像データ供給装置であって、複数のスライドを順次読み取り、読
み取ったスライドごとにスライド画像に変換する読取部と、スライド画像ごとに、当該ス
ライド画像を表す画像データを記憶する記憶部と、記憶部に記憶された複数の画像データ
に基づき、空間光変調素子の表示領域に対応する画像領域に複数のスライド画像を配置す
ることにより、複数のスライド画像を含んだ画像を表す出力画像データを生成する画像処
理部とを備えることを特徴とする。
【００１７】
この構成によれば、画像データ供給装置がスライドを読み取って出力画像データをプロ
ジェクタに供給することによって、プロジェクタにより複数のスライドを投影させ、スラ
イドの内容を把握し易い投影表示が可能となる。
【００１８】
本発明の方法は、所定の表示領域を有する空間光変調素子を駆動して、空間光変調素子
に表示される画像を投影するプロジェクタのスライド投影方法であって、複数のスライド
を順次読み取り、読み取ったスライドごとにスライド画像に変換する読取工程と、スライ
ド画像ごとに当該スライド画像を表す画像データを記憶する記憶部に記憶された複数の画
像データに基づき、空間光変調素子の表示領域に対応する画像領域に複数のスライド画像
を配置することにより、複数のスライド画像を含んだ画像を表す出力画像データを生成す
る画像処理工程と、出力画像データに基づき空間光変調素子を駆動させ、表示画像の投影
表示を行う表示工程とを備えることを特徴とする。
【発明を実施するための最良の形態】
【００１９】
（第１の実施形態）
以下、本発明を具体化した第１の実施形態について、図面を参照して説明する。
【００２０】
図１は、第１の実施形態に係るプロジェクタの概略構成を示した図である。このプロジ
ェクタ１００は、図１に示すように、各々にスライドが収納される多数のトレイ１１がト
レイ支持部１２に対して円形状に支持され、トレイ支持部１２を中心として各トレイ１１
が回転可能に構成された円形ユニバーサルトレイ（以下「スライドトレイユニット」とい
う）１０からスライドの供給を受けるようにして、スライドを投影表示するものである。
【００２１】
このプロジェクタ１００は、スライドトレイユニット１０が着脱可能に装着される装着
部２０と、プロジェクタ操作用の各種スイッチを有した操作パネル３０とを備えており、
装着部２０の周縁部には、後述するスライドの読取位置を示すマーク４０が表示されてい
る。そして、プロジェクタ１００外部には、スライド操作用のスイッチ５０ａ，５０ｂを
有した操作ユニット５０がデータ通信可能に接続されている。なお、操作ユニット５０は
、プロジェクタ１００とケーブル接続されていてもよいし、無線接続されていてもよい。
【００２２】
図２は、プロジェクタ１００の内部構成を示した図である。図２に示すように、プロジ
ェクタ１００は、操作ユニット５０からの操作信号が入力される入力インターフェイス（
入力Ｉ／Ｆ）５１と、装着されたスライドトレイユニット１０からスライド１３を抜き差
しするスライド脱着機構５２と、抜き出したスライド１３を読み取るスキャナ部５３と、
読み取った画像データを格納する画像メモリ５４と、格納された画像データより出力用の
出力画像データを生成する画像処理部５５と、出力画像データに従ってライトバルブ（Ｌ
／Ｖ）５７を駆動させるライトバルブ駆動部（Ｌ／Ｖ駆動部）５６と、これらの各構成を
制御するコントローラ５８とを備えている。
【００２３】
スライド脱着機構５２は、装着部２０に装着されたスライドトレイユニット１０のトレ
イ１１を回転させる機構及びスライド読取位置にあるトレイ１１より収納されたスライド
１３を、プロジェクタ内部のスキャナ部５３が読み取り可能な位置まで抜き差しする機構
を有している。
【００２４】
スキャナ部５３は、スライド脱着機構５２により抜き出されたスライド１３を読み取る
部分であり、リニアセンサを走査するようにしてスライド全体を読み取るスライドスキャ
ナである。スキャナ部５３により、読み取ったスライド１３は縦・横それぞれに所定の画
素数からなる画像領域を表す画像データに変換される。もっとも、スキャナ部５３として
は、スライド全体を１度に読み取り可能なエリアセンサを用いた構成としてもよい。
【００２５】
コントローラ５８は、ＣＰＵ５８ａ、ＲＯＭ５８ｂ、ＲＡＭ５８ｃなどにより構成され
、ＲＯＭ５８ｂに予め記憶された制御プログラムをＣＰＵ５８ａが実行することにより、
プロジェクタ１００の各構成を制御する。具体的には、コントローラ５８は、スライド脱
着機構５２及びスキャナ部５３を制御して複数のスライド１３を読み取る処理、各スライ
ド１３ごとに読み取ったスライド１３の画像を表す画像データを画像メモリ５４に記憶さ
せる処理、出力用の画像データをＬ／Ｖ駆動部５６に供給して、Ｌ／Ｖ５７の駆動制御を
行わせる処理などを行う。
【００２６】
なお、画像メモリ５４に記憶する画像データの画像領域（縦・横の画素数）は、ドット
マトリクス表示を行うＬ／Ｖ５７の表示領域（縦・横の画素数）より小さいものとする。
すなわち、スキャナ部５３が読み取る画像領域をＬ／Ｖ５７の表示領域より予め小さくし
ておくか、あるいはスキャナ部５３で読み取った画像データに縮小処理を施すようにして
、画像メモリ５４には、Ｌ／Ｖ５７の表示領域より小さい画像領域を有する画像データが
記憶される。
【００２７】
画像メモリ５４には、スキャナ部５３が読み取った画像データを記憶するための記憶領
域及び出力画像データを記憶するための記憶領域などが確保されている。なお、本実施形
態では、画像データを記憶する記憶領域としてはスライド２枚分の画像データを記憶可能
な領域が確保され、次々に入力される画像データに対してＦＩＦＯ方式によるメモリ管理
を行うものとする。もっとも、さらに多くの画像データを記憶可能としてもよいし、メモ
リの管理方法もこれに限られるものではない。
【００２８】
画像処理部５５は、画像メモリ５４に記憶された２つの画像データから、各画像データ
のスライド画像を含む画像の出力画像データを生成し、画像メモリ５４の所定の記憶領域
に出力画像データを格納する処理を行う。
【００２９】
そして、コントローラ５８は、画像メモリ５４に記憶された出力画像データをＬ／Ｖ駆
動部５６に出力して、出力画像データに従ってＬ／Ｖ５７を駆動させ、Ｌ／Ｖ５７に２つ
のスライド１３を表す画像を表示させる。Ｌ／Ｖ５７上の画像は、投写レンズ５９（図２
参照）によりスクリーンや壁などに投影されることで、２つのスライド１３が投影表示さ
れる。
【００３０】
次に、２つのスライド１３を投影表示する際に、コントローラ５８の制御の下でプロジ
ェクタの各構成が行う動作について詳細に説明する。図３は、スライドトレイユニット１
０に収納された多数のスライド１３のうち、Ｎ番目のスライド１３を表示する際に行われ
る処理のフローチャートを示した図である。例えば、Ｎ−１番目のスライド１３を表示し
ているとき（すなわち画像メモリ５４にＮ−１番目のスライド１３の画像データが記録さ
れた状態のとき）にユーザが操作ユニット５０又は操作パネル３０を操作して、次のスラ
イド（Ｎ番目）への切替を指示すると、図３のフローチャートに示す処理が開始される。
【００３１】
処理を開始すると、まず、スライド脱着機構５２は、読取位置にあるトレイ１１よりス
ライド１３を抜き出して、プロジェクタ１００内部のスキャナ部５３が読取可能な位置に
格納する（ステップＳ１００）。そして、スキャナ部５３は、格納したスライド１３を読
み取って画像データに変換し（ステップＳ１１０）、画像データを画像メモリ５４に格納
する（ステップＳ１２０）。
【００３２】
ここで、画像処理部５５は、画像メモリ５４に記憶された画像データに対して画像処理
を施して、コントラスト調整及び彩度調整を行っている。例えば、Ｌ／Ｖ５７が表示可能
な輝度レンジに対応させて画像データの輝度レンジを補正する階調変換及び彩度を高める
色変換を施すようにして、投影されるスライド１３の画像がより見やすくなるよう画質調
整を行う。
【００３３】
次に、スライド脱着機構５２は、読取済みのスライド１３をスライドトレイユニット１
０のトレイ１１に戻して、トレイ１つ分だけスライドトレイユニット１０を回転させる（
ステップＳ１３０）。こうして、次に行われる読取りに備えて、次（Ｎ＋１番目）のスラ
イド１３を予め読取位置に合わせておく。
【００３４】
次に、Ｎ−１番目及びＮ番目のスライド１３の画像データが画像メモリ５４に格納され
ているか否かを判断する（ステップＳ１４０）。いずれかの画像データが格納されていな
ければ（ステップＳ１４０：Ｎｏ）ステップＳ１００に戻って次のスライド１３を読み取
るようにして、両方の画像データが格納されると（ステップＳ１４０：Ｙｅｓ）ステップ
Ｓ１５０に進む。
【００３５】
ステップＳ１５０に処理が進むと、画像処理部５５は、Ｎ−１番目のスライド１３の画
像データ及びＮ番目のスライド１３の画像データより、出力画像データを生成する処理を
行う。
【００３６】
ここで、出力画像データ生成時の処理について説明する。図４は、１番目のスライド１
３と２番目のスライド１３より出力画像データを生成する際（すなわち、Ｎ＝２）に、画
像メモリ５４に格納されるデータを示している。出力画像データを生成する際には、画像
メモリ５４の出力用の記憶領域上に、図４（ａ）に示すように、２つの画像が書き込まれ
るための異なる領域Ａ１，Ａ２が予め設定されたテンプレートの画像を展開しておく。こ
こで、図４では、領域Ａ１，Ａ２からなる画像が書き込まれる領域を網点、背景領域をハ
ッチングで示しており、領域Ａ１と領域Ａ２とは一部を重ねながら互いに異なる位置に分
布している。
【００３７】
そして、１番目の画像Ｇ（１）を画像メモリ５４上の領域Ａ１に上書きして（図４（ｂ
）参照）、さらに画像メモリ５４上の領域Ａ２に２番目の画像Ｇ（２）を上書きする（図
４（ｃ）参照）。これにより、１番目のスライド１３の画像及び２番目のスライド１３の
画像を含む出力画像データが生成される。
【００３８】
出力画像データを生成すると、次に、コントローラ５８は、画像メモリ５４より出力画
像データを読み出し、Ｌ／Ｖ駆動部５６に出力する。Ｌ／Ｖ駆動部５６は、転送された出
力画像データに従ってＬ／Ｖ５７を駆動することにより、Ｎ−１番目のスライド１３及び
Ｎ番目のスライド１３が投影される（ステップＳ１６０）。ステップＳ１６０の処理を終
えると、図３のフローチャートに示した処理を終了する。
【００３９】
なお、ステップＳ１００からステップＳ１４０までの処理が請求項に記載の読取工程、
ステップＳ１５０が請求項に記載の画像処理工程、ステップＳ１６０が請求項に記載の表
示工程に相当する。
【００４０】
第１の実施形態に係るプロジェクタ１００によれば、２つのスライド１３を同時に投影
することができる。また、２つのスライド１３は一部を重ねながら、表示対象のスライド
１３についてはスライド全体が表示される（例えば、図４（ｃ）の画像Ｇ（２）参照）。
複数のスライド１３を表示しながらスライド１３の全体が投影されるので、ユーザにとっ
てスライド１３の内容を把握しやすい投影表示が可能となる。
【００４１】
（第２の実施形態）
次に本発明の第２の実施形態について説明する。第２の実施形態に係るプロジェクタは
、投影された複数のスライド１３のうちから拡大表示するスライド１３を選択可能とした
ものである。
【００４２】
以下、第２の実施形態に係るプロジェクタの動作について図５のフローチャートに従っ
て説明する。なお、スライドトレイユニット１０に格納された複数のスライド１３を順次
表示した後、又はスライドトレイユニット１０装着後に格納された複数のスライド１３を
予め読み取った後のタイミングに、画像メモリ５４に複数のスライド１３の画像データが
格納された状態で処理を開始するものとする。
【００４３】
処理を開始すると、第１の実施形態におけるステップＳ１５０の処理と同様にして、複
数の画像データより複数のスライド画像が配置された出力画像データを生成し（ステップ
Ｓ２００）、出力画像データに従ってＬ／Ｖ５７を駆動する（ステップＳ２１０）。
【００４４】
図６は、複数のスライド画像を投影表示する一例を示した図である。図６に示すように
、投影した画像には、１番目から９番目までの９枚のスライド１３の画像（Ｇ（１）〜Ｇ
（９））が重なり合うことなく異なる位置に並べるようにして配置されている。ここで、
操作ユニット５０により、表示したスライド１３のうちいずれかのスライドを選択できる
ようになっており、選択されたスライドの周縁には選択枠６０が表示される。ユーザは、
操作ユニット５０のスイッチ５０ａ，５０ｂ、又は操作パネル３０を操作して、図６にお
ける選択枠６０を動かすようにして所望のスライドを選択することができる。
【００４５】
次に、操作ユニット５０からの入力によりスライドが選択されたか否かを判断する（ス
テップＳ２２０）。選択されていなければ（ステップＳ２２０：Ｎｏ）、ステップＳ２３
０に進んで所定の時間経過後に再びステップＳ２２０の判断を繰り返す。ユーザにより所
望のスライドの選択が行われると（ステップＳ２２０：Ｙｅｓ）ステップＳ２４０に進む
。
【００４６】
ステップＳ２４０に処理が進むと、画像処理部５５は、選択された画像データのスライ
ド画像を、Ｌ／Ｖ５７に対応する解像度の画像に拡大して、拡大画像の出力画像データを
画像メモリ５４に書き込む。コントローラ５８は、この出力画像データに従ってＬ／Ｖ５
７を駆動させることにより、選択されたスライド画像を拡大投影する（ステップＳ２５０
）。
【００４７】
第２の実施形態に係るプロジェクタによれば、複数のスライド１３が投影表示された画
面より、ユーザが所望のスライド１３を選択することができ、選択した画像は拡大表示さ
れる。投影された複数のスライド１３のうち所望の画像を見やすく表示させることができ
るので、ユーザは、スライドトレイユニット１０に収納された多数のスライド１３の内容
をさらに把握しやすくなる。
【００４８】
（第３の実施形態）
次に本発明の第３の実施形態について説明する。第３の実施形態では、スライド１３を
読み取る部分をプロジェクタと別構成としている。すなわち、図７に示すように、スライ
ドトレイユニット１０を装着可能であり、スライド１３を読み取って出力画像データを供
給する画像データ供給装置２００と、供給された出力画像データに従って投影表示を行う
プロジェクタ２１０とを含む投影システムとする。画像データ供給装置２００には操作ユ
ニット２２０が接続され、画像データ供給装置２００は操作ユニット２２０の操作に従っ
て読み取った画像データより出力画像データを生成する。プロジェクタ２１０は、画像デ
ータ供給装置２００より供給された出力画像データに従って、複数のスライド１３を同時
に投影表示することができる。
【００４９】
第３の実施形態に係る投影システムによれば、プロジェクタ２１０自体はスライドトレ
イユニット１０に収納されたスライド１３を投影する機能がなくとも、スライドトレイユ
ニット１０よりスライド１３を読み取って、出力画像データをプロジェクタ２１０に供給
する画像データ供給装置によって、複数のスライド１３の同時表示を実現することが可能
である。
【００５０】
以上、本発明の第１乃至第３の実施形態について説明したが、本発明はこれに限られる
ことなく、様々な形態とすることもできる。以下、本発明の変形例について説明する。
【００５１】
（変形例１）複数の画像データより出力画像データを生成する際に、スライドトレイユ
ニット１０に収納されたスライドの向きや表裏が異なることもある。そこで、スライドに
予め設けられた向き検出用の切欠の位置検出、又は画像データに含まれる文字などの向き
を検出することによりスライドの向き及び表裏を検出し、画像を適宜左右・上下に反転処
理を施すことによりスライド間の向き及び表裏の相違を修正するようにしてもよい。
【００５２】
（変形例２）スライド収容体としてのスライドトレイユニット１０は、円形にトレイを
配列した円形ユニバーサルトレイに限られず、直線状にトレイを配置したユニットなど様
々なスライド収容体でもよい。また、原稿載置台を有したフラットヘッド型のプロジェク
タであって、原稿載置台へのスライドの交換をユーザが手差しで行うようにして、スキャ
ナ部が原稿載置台に載置されたスライドを順次読み取り、複数のスライドを投影表示する
ようにしてもよい。
【図面の簡単な説明】
【００５３】
【図１】第１の実施形態に係るプロジェクタの概略構成を示した構成図。
【図２】プロジェクタの内部構成を示した構成図。
【図３】Ｎ番目のスライドを表示する際に行われる処理を示したフローチャート。
【図４】画像メモリに格納されるデータの一例を示した図。
【図５】第２の実施形態に係る処理を示したフローチャート。
【図６】投影表示する投影画像の一例を示した図。
【図７】第３の実施形態に係る投影システムの概略構成を示した構成図。
【符号の説明】
【００５４】
１０…スライド収容体としてのスライドトレイユニット、１１…トレイ、１２…トレイ
支持部、１３…スライド、２０…装着部、３０…操作パネル、４０…読取位置を示すマー
ク、５０…操作部としての操作ユニット、５１…入力インターフェイス、５２…スライド
脱着部としてのスライド脱着機構、５３…読取部としてのスキャナ部、５４…記憶部とし
ての画像メモリ、５５…画像処理部、５６…駆動部としてのライトバルブ駆動部、５７…
空間光変調素子としてのライトバルブ、５８…制御部としてのコントローラ、５９…投写
レンズ、６０…選択枠、１００…プロジェクタ、２００…画像データ供給装置。
【図１】
2007310272.tif 000003
【図２】
2007310272.tif 000004
【図３】
2007310272.tif 000005
【図４】
2007310272.tif 000006
【図５】
2007310272.tif 000007
【図６】
2007310272.tif 000008
【図７】
2007310272.tif 000009